(57)【要約】【課題】少なくとも底部に透水性の良好な不織布製シートが設けられ、折りたたみ可能で取り扱い性に優れた植物栽培袋を提供する。【解決手段】スタンディングパウチタイプあるいはガゼット袋タイプの袋の底部に、パルプ繊維と合成樹脂とからなり中央部に折り目を設けた不織布製シート２を用いることによって、この不織布製シート２をヒートシールして、平面状に折りたたんだ状態で多数を保管、運搬することができ、不織布製シート２の全体に水を浸み込ませて浸み込ませた水を外部に逃がすことなく袋の内部に収容した土や植物の種に効果的に水を供給することができる植物栽培袋１を提供する。【選択図】図５
2012125193.tif 000002
【特許請求の範囲】
【請求項１】
パルプ繊維と合成繊維とを材料に用いて作られた不織布製のシートで少なくとも底部を形成したことを特徴とする植物栽培袋。
【請求項２】
スタンディングパウチの形態を呈することを特徴とする請求項１記載の植物栽培袋。
【請求項３】
ガゼット袋の形態を呈することを特徴とする請求項１記載の植物栽培袋。
【発明の詳細な説明】
【技術分野】
【０００１】
本発明は、取り扱い性に優れ、水やり管理が容易な袋状の植物栽培袋に関する。
【背景技術】
【０００２】
従来から不織布を用いた植物栽培用容器として、特許文献１に開示されているものが知られている。この特許文献１には、軽量で取り扱い性を向上させるために、不織布を用いて形成した植物栽培用容器が記載されている。この植物栽培用容器は、直方体の上部が開口した箱状、あるいは上方に向かって拡径し上部が開口した逆円錐台状に形成されており、植物栽培用容器の内部に土や種などが収容されて植物が栽培されるようになっている。
【先行技術文献】
【特許文献】
【０００３】
【特許文献１】特開平８−２５２０３２号公報
【発明の概要】
【発明が解決しようとする課題】
【０００４】
特許文献１に記載の植物栽培用容器は、直方体形状や逆円錐台形状を呈しており、この状態で保管され、あるいは運搬されるには嵩張るという問題があった。
本発明の目的は、このような課題を解決するもので、少なくとも底部に透水性の良好な不織布製シートが設けられ、折りたたみ可能で取り扱い性に優れた植物栽培袋を提供することである。
【課題を解決するための手段】
【０００５】
本発明の請求項１に記載の植物栽培袋は、パルプ繊維と合成繊維とを材料に用いて作られた不織布製シートで少なくとも底部を形成したものである。請求項２に記載の植物栽培袋は、スタンディングパウチの形態を呈するものである。請求項３に記載の植物栽培袋は、ガゼット袋の形態を呈するものである。
【発明の効果】
【０００６】
以上のように本発明によれば、少なくとも底部がパルプ繊維と合成繊維とで作られ透水性の優れた不織布製シートで形成され、折りたたみ可能で取り扱い性に優れた植物栽培袋を提供することができる。
【図面の簡単な説明】
【０００７】
【図１】本発明の第１の実施形態の植物栽培袋の正面図である。
【図２】同不織布の繊維の拡大断面図である。
【図３】同植物栽培袋に土を入れて正面から見た斜視図である。
【図４】同植物栽培袋に土を入れて下方から見た斜視図である。
【図５】同植物栽培袋の上端を閉じた状態を示す斜視図である。
【図６】同植物栽培袋の使用状態を示す斜視図である。
【図７】本発明の第２の実施形態の植物栽培袋に土を入れて上端を閉じた状態を示す斜視図である。
【発明を実施するための形態】
【０００８】
以下、本発明の第１の実施の形態について図１〜図６に基づいて説明する。植物栽培袋１は、スタンディングパウチタイプの袋の底部に不織布製シート２が用いられたものである。底部を除く部分は樹脂フィルムで作られている。本実施の形態では、不織布製シート２の材料としてパルプ繊維と合成繊維とを含んだ不織布繊維３が使用される。合成繊維は不織布全体の約８５重量％を占めており、残りがパルプ繊維である。
【０００９】
図２に示す不織布繊維３の断面図において、不織布繊維３は３層構造となっており、不織布繊維３の最内層４から中間層５、最外層６に向かって合成繊維が多く含まれており、不織布繊維３の最外層６から中間層５、最内層４に向かってパルプ繊維が多く含まれている。植物栽培袋１の表側および裏側を形成する樹脂製シート７ａ，７ｂの最内層は、ポリエチレンあるいはポリプロピレンで形成されており、ポリエチレンとポリプロピレンとを混合したもの、またはポリエチレンあるいはポリプロピレンを単独で含んだ不織布製シート２と容易にヒートシールされる。これによって上端に開口部８を備えた植物栽培袋１が形成される。底面を形成する不織布製シート２の中央部には植物栽培袋１の幅方向に沿って折り目９が設けられており、不織布製シート２は折り目９が上方に凸となるように折り曲げ可能である。不織布製シート２が折り曲げられた植物栽培袋１は、図１に示すように平面状となるので、植物栽培袋１を多数枚重ねて保管、運搬することができる。
【００１０】
上端の開口部８から植物栽培袋１内に土などが収容されると、折り曲げられた不織布製シート２が土などの重みで平面状となり、不織布製シート２は略円弧状に拡がり、植物栽培袋１は自立可能な状態となる。なお、植物栽培袋１内に土などが収容された後に開口部８はヒートシールされ、図５に示す状態となる。植物栽培袋１は、この状態で小売店の店頭に並ぶ。
【００１１】
植物栽培袋１の使用者は、両側のヒートシール部１０ａ，１０ｂに形成されたノッチ部１１ａ，１１ｂの何れかから上部のヒートシール部１２を切り取るように、植物栽培袋１の上部を開口させ、収容された土に植物の種を蒔き、蒔いた種に水を与える。植物の種は、植物栽培袋１を開口した後に収容された土に蒔くが、予め土とともに植物の種を植物栽培袋１の内部に収容しておくものでも良い。植物栽培袋１は、水が蓄えられた鉢状の容器１３に不織布製シート２が浸かった状態で設置され、不織布製シート２のパルプ繊維に水が染み込み、さらに毛細管現象によって不織布製シート２全体に水が浸み込んでいく。パルプ繊維は不織布繊維３の中心部に近いほど多く含まれているので、水は不織布繊維３の中心部寄りを多く通って浸み込んでいくことになる。このようにして不織布製シート２の全面に水を浸透させることができる。不織布製シート２に蓄えられた水は順次土に浸み込んでいき、植物の種または根に効果的に水分を与えることができる。このように、使用者は、植物栽培袋１を設置する容器１３に水が蓄えられているか否かの確認をするだけで水やり管理をすることができる。
【００１２】
本実施の形態では、不織布製シート２の合成繊維としてポリエチレンとポリプロピレンとを混合したもの、またはポリエチレンあるいはポリプロピレンを単独で含んだものが用いられ、この不織布製シート２がポリエチレンあるいはポリプロピレンで形成された樹脂製シート７ａ，７ｂにヒートシールされるが、ヒートシールに限定されるものではなく、不織布製シート２が樹脂製シート７ａ，７ｂに超音波シールあるいは高周波シールされるものでもよい。超音波シールの場合には、合成繊維としてポリプロピレンあるいはポリエチレンテレフタレートなどが好適である。高周波シールの場合には、合成繊維としてポリ塩化ビニルあるいはポリ塩化ビニリデンが好適である。
【００１３】
本実施の形態では、植物栽培袋１がスタンディングパウチのものについて説明したが、これに限定されるものではなく、たとえばガゼット袋タイプのものでもよい。この場合不織布製シート２をシールしたガゼット袋の一側面を底部として、底部と対向する上面側に開口部が形成される。底部の不織布製シート２に幅方向に沿った折り目を設けることによって底面シートは上方に凸となるように折り曲げ可能となり、植物栽培袋を多数重ねて保管、運搬することができる。また、水が蓄えられた容器にガゼット袋の不織布製シート２が浸かった状態で設置して水やり管理を簡素化することができる。
【００１４】
植物栽培袋１では不織布製シート２を植物栽培袋１の一部に用いているが、これに限定されるものではなく、植物栽培袋の全体を不織布製シート２で形成したものでも良い。この場合には不織布製シート２と土などとの接触する面積が増えるので植物の種や根に効果的に水を与えることができる。
【００１５】
次に本発明の第２の一実施の形態について図７に基づいて説明する。この第２の実施の形態に係る植物栽培袋２１の両側部２２ａ，２２ｂは全域に亘ってジグザグ状にカットされている。使用者はジグザグ状部の任意の位置から容易に開口して、使用時における植物栽培袋２１の高さを自由に選択することができる。
【符号の説明】
【００１６】
１，２１    植物栽培袋
２    不織布製シート
３    不織布繊維
４    最内層
５    中間層
６    最外層
７ａ，７ｂ    樹脂製シート
８    開口部
９    折り目
１０ａ，１０ｂ，１２    ヒートシール部
１１ａ，１１ｂ    ノッチ部
１３    容器
２２ａ，２２ｂ    両端部
【図１】
2012125193.tif 000003
【図２】
2012125193.tif 000004
【図３】
2012125193.tif 000005
【図４】
2012125193.tif 000006
【図５】
2012125193.tif 000007
【図６】
2012125193.tif 000008
【図７】
2012125193.tif 000009